(57)【要約】【課題】筆記具を構成する木材からなる円筒状の軸部材の開口部に円環部材を挿着した構造の筆記具用の軸体であっても、軸部材から円環部材が脱落したり軸部材に対して回転してしまうことなく、また木材である軸部材が割れ難い構造とすることを目的とする。【解決手段】筆記具を構成する木材からなる円筒状の軸部材の開口部に円環部材を挿着した構造の筆記具用の軸体であって、前記円環部材と前記軸部材との径方向の隙間を０．０７５ｍｍ以上０．１２５ｍｍ以下とし、且つ当該円環部材と当該軸部材とを弾性接着剤を介して固定したことを特徴とする筆記具用の軸体。【選択図】図４
2008200968.tif 000002
【特許請求の範囲】
【請求項１】
筆記具を構成する木材からなる円筒状の軸部材の開口部に円環部材を挿着した構造の筆記具用の軸体であって、前記円環部材と前記軸部材との径方向の隙間を０．０７５ｍｍ以上０．１２５ｍｍ以下とし、且つ当該円環部材と当該軸部材とを弾性接着剤を介して固定したことを特徴とする筆記具用の軸体。
【発明の詳細な説明】
【技術分野】
【０００１】
本発明は、筆記具用の軸体に関し、さらに詳しくは、筆記具を構成する木材からなる円筒状の軸部材の開口部に、金輪等の円環部材を挿着した構造の筆記具用の軸体に関する。
【背景技術】
【０００２】
従来より、軸筒やキャップ等が木材で形成されている筆記具はよく知られており、筆記具を構成する軸部材の開口部に、軸部材の保護や装飾目的あるいは部材同士の連結を目的として、金輪等の円環部材を挿着した構造のものが存在する。この金輪等の円環部材はそれを取り付けた軸筒やキャップから脱落し難くするために、実開昭６３−４７１８６号公報に記載されているように、部材間を接着剤で接着することが多い。
【特許文献１】「実開昭６３−４７１８６号公報」
【発明の開示】
【発明が解決しようとする課題】
【０００３】
ところで、軸筒やキャップ等の軸部材を木材で形成したものでは、乾燥や湿気により軸部材が収縮や膨張したりするので、軸部材が外側へ膨張して内径が大きくなった場合には、木材である軸部材と接着剤の界面が特に剥がれ易く、軸部材から金輪等の円環部材が抜け落ちてしまったり、あるいは軸部材に対して円環部材が回転してしまうという問題があった。また、軸部材が内側へ収縮して内径が小さくなった場合には、剛体である金輪等に保持された硬い接着剤に、木材である軸部材の内面が圧接されることで割れてしまう問題があった。これは従来の軸部材の構造が、軸部材と円環部材との隙間が一般的に０．０５ｍｍと狭く設定されており、さらに接着剤に硬く固まるエポキシ樹脂系のものが使用されていることが原因である。尚、軸部材と円環部材との隙間を０．０５ｍｍと狭く設定する理由は、筆記具が小さな部材の組合せでなり、且つ各部材間を高い精度で組み立てることが要求されていることから、軸部材と円環部材の中心の位置ずれを小さくするためである。
【０００４】
本発明はこうした問題を鑑みて、筆記具を構成する木材からなる円筒状の軸部材の開口部に円環部材を挿着する構造の筆記具用の軸体であっても、軸部材から円環部材が脱落したり軸部材に対して円環部材が回転してしまうことなく、また木材である軸部材が割れ難い構造とすることを目的とする。
【課題を解決するための手段】
【０００５】
本発明は、
「筆記具を構成する木材からなる円筒状の軸部材の開口部に円環部材を挿着した構造の筆記具用の軸体であって、前記円環部材と前記軸部材との径方向の隙間を０．０７５ｍｍ以上０．１２５ｍｍ以下とし、且つ当該円環部材と当該軸部材とを弾性接着剤を介して固定したことを特徴とする筆記具用の軸体。」
である。
【０００６】
軸部材を形成する木材は樺や楓や楢等の広葉樹である硬いものが適しており、特に木材に樹脂を含浸加工させたものは吸湿性の改善により寸法安定性が向上し、強度と硬度の向上がなされているので好ましい。また、弾性接着剤は木材である軸部材が膨張した際にも、軸部材の内面に接触する接着剤の界面が剥がれない弾力性を持ったものとする。具体的には変性シリコンやウレタン樹脂を主成分とする接着剤が好ましい。また、円環部材と軸部材との隙間を０．０７５ｍｍ以上とするのは、木材である軸部材が乾燥して収縮した際に、軸部材に内在された円環部材の影響を与えないためである。この隙間を０．０７５ｍｍ以上とする理由としては、一般的な筆記具の軸筒やキャップの直径は１０ｍｍ〜１５ｍｍで、円環部材を取り付ける箇所の挿着受部の肉厚は１ｍｍ前後であり、その軸材の収縮量は半径方向に対しておよそ０．０５ｍｍ以下となることから、円環部材と軸部材との隙間は接着剤の厚みを考慮しても０．０７５ｍｍ以上あればよいからである。また、隙間を０．１２５ｍｍ以下とするのは、円環部材を軸部材に挿着する際に、隙間が広すぎて円環部材の挿着部が傾いて挿着されてしまうことを防止するためである。尚、本発明では軸部材の内径寸法の基準を、温度２０度で湿度５０％の状態にて設定するものとする。
【発明の効果】
【０００７】
本発明では、軸部材と円環部材との径方向の隙間を０．０７５ｍｍ以上０．１２５ｍｍ以下とし、その隙間に弾性接着剤という弾力性を持った接着剤を介在させることで、軸部材が外側へ膨張して内径が大きくなった場合でも、接着剤が弾力性を有することから木材である軸部材に接したまま接着剤の界面が剥がれることなく、円環部材が軸部材から抜け落ちてしまうことを防止できる。また、軸部材が内側へ収縮して内径が小さくなった場合でも、弾性接着剤が軸部材と円環部材との隙間において軸部材の収縮量を吸収するよう弾性変形して、軸部材の割れを防止することができる。さらに、弾性接着剤は粘り気があることから、軸部材に円環部材を挿着する際でも、円環部材に塗布した接着剤がたれ難く、また円環部材を軸部材に回転させながらねじ込むことで、粘り気のある弾性接着剤が円環部材の周りに均一に絡まるように拡散するので、互いの部材の中心位置が一致し易くなるという、相乗の作用効果を奏するものである。
【発明を実施するための最良の形態】
【０００８】
次に図面を参照しながら説明を行う。本実施例においては木材からなる円筒状のキャップ部材の開口部に金輪を挿着する構造の筆記具用キャップについて説明するが、本発明は以下の実施例に限定されるものではない。図中の同じ部材、同じ部品については、同じ符号としてある。
【０００９】
図１は本発明の実施例である筆記具用キャップを用いたキャップ付き万年筆の図である。キャップ付き万年筆１は先端にペン先２を有する万年筆３とキャップ４とからなり、万年筆３を構成する軸筒本体３０の前方部３１に対してキャップ４を着脱自在としてある。またキャップ４の側面にはクリップ５を配し、上端には頭冠６を配してある。またキャップ部材４０の開口部４１側には、金輪７を装着してある。尚、本実施例におけるキャップ部材４０は、樺材にフェノール樹脂を含浸させたものにて形成し、金輪７は真鍮にニッケルクロームメッキを施したものである。
【００１０】
図２は本実施例のキャップの断面図である。キャップ４は、キャップ部材４０の内部に中子８を備えており、中子８の上部に形成した雌螺子部８ａに前記頭冠６の下方に形成した雄螺子部６ａを螺合させて固定すると共に、前記クリップ５の脚部５ａを頭冠６のフランジ部６ｂとキャップ部材４０の上端部４２との間に挟持して固定してある。尚、中子８は、図１に示した軸筒本体３０の前方部３１に当接して機密性を確保する。また金輪７は、キャップ部材４０の開口部４１側の内面を薄肉に形成した挿着受部４１ａに挿着部７ａを挿し込み、金輪７の外面の下方に形成した大径部７ｂをキャップ部材４０の下面に当接させている。この状態でキャップ部材４０の内面と金輪７の内面とは一致する。尚、本実施例ではキャップ部材４０と金輪７とを弾性接着剤９にて接着してある。
【００１１】
次にキャップ部材４０と金輪７との関係を説明する。図３はキャップ部材の開口部近傍と金輪の拡大断面図である。図４はキャップ部材の開口部に金輪を挿着する状態を示す図である。本実施例では、温度２０度、湿度５０％の時にキャップ部材４０の挿着受部４１ａの内径Ｄ１を１１．２ｍｍとし、金輪７の挿着部７ａの外径Ｄ２を１１．０ｍｍとしてある。したがって、キャップ部材４０と金輪７の中心が一致した状態で、キャップ部材４０の挿着受部４１ａと金輪７の挿着部７ａとの径方向における隙間は０．１ｍｍとなる。また、金輪７の挿着部７ａにウレタン樹脂系の弾性接着剤９を塗布して、金輪７をキャップ部材４０に回転させながら挿入させることで、挿着部７ａおよび挿着受部４１ａの周りで接着剤９が均一となり、キャップ部材４０と金輪７との中心が一致した状態で、図２のキャップ４となるよう接着ができた。
【００１２】
図２に示した本実施例のキャップ４を、温度が５０度で湿った湿度８５％の環境と、温度が５０度で乾燥した湿度１０％の環境にそれぞれ３日間保存すると、温度５０度で湿度８５％の湿った環境下では、キャップ部材４０の挿着受部４１ａの内径Ｄ１（図３参照）が１１．３８ｍｍと大きくなり、挿着部７ａと挿着受部４１ａの隙間も０．１９ｍｍと大きく拡がったが、前述の弾性接着剤９が挿着受部４１ａの変形に対し追従するよう弾性変形が行われ、接着の界面が剥がれてしまうことなく、金輪７がキャップ部材４０から抜け落ちてしまうことがなかった。また、温度５０度で湿度１０％の乾燥した環境下では、挿着受部４１ａの内径Ｄ１（図３参照）が１１．１２ｍｍと小さくなり、挿着部７ａと挿着受部４１ａの隙間も０．０６ｍｍと小さく狭まったが、キャップ部材４０と金輪７との間に存在する０．０６ｍｍの隙間内で弾性接着剤９の圧縮変形が行われるため、キャップ部材４０に負担が掛かることなく、キャップ部材４０に割れが発生することはなかった。
【産業上の利用可能性】
【００１３】
本願発明による筆記具用の軸体は、キャップ以外でも胴部材や首部材等の筆記具用の軸体として用いることができる。また筆記具以外にも、化粧具や塗布具等の軸体に用いることも可能である。
【図面の簡単な説明】
【００１４】
【図１】本発明の実施例である筆記具用キャップを用いたキャップ付き万年筆の図である。
【図２】本実施例のキャップの断面図である。
【図３】キャップ部材の開口部近傍と金輪の拡大断面図である。
【図４】金輪をキャップ部材の開口部に挿着する状態を示す図である。
【符号の説明】
【００１５】
１…キャップ付き万年筆、２…ペン先、
３…万年筆、３０…軸筒本体、３１…前方部、
４…キャップ、
４０…キャップ部材、４１…開口部、４１ａ…挿着受部、４２…上端部、
５…クリップ、５ａ…脚部、
６…頭冠、６ａ…雄螺子部、６ｂ…フランジ部、
７…金輪、７ａ…挿着部、７ｂ…大径部、
８…中子、８ａ…雌螺子部、
９…弾性接着剤。
【図１】
2008200968.tif 000003
【図２】
2008200968.tif 000004
【図３】
2008200968.tif 000005
【図４】
2008200968.tif 000006